(57)【特許請求の範囲】
【請求項１】
閉塞壁（３），（３）を短筒状部（２）の前後に有してほぼ中空盤形状をなし、頂部を第１開口（７）として該第１開口を上端開口面とする横断面非眞円形状でかつ底板（14）中央部を第２開口（13）とする収納室（18）を上半内部に有し、上記前後両閉塞壁（３），（３）の少なくとも一方の中心部下方にハンドル操作窓（９）を有する容器本体（１）と、上記収納室（18）内へ上下動可能にかつ回動不能に嵌合させた受皿（22）下面から雄ねじ筒（23）を容器本体下半内へ垂下する受皿部材（21）と、上記雄ねじ筒外面へ螺嵌合させた雌ねじ筒（32）の一部を大外径化させた形状の短縦筒状ハンドル（33）に形成し、該ハンドル外面一部を上記ハンドル操作窓（９）内へ露出させた雌ねじ筒部材（31）と、上記第１開口（７）の上方を覆う上板（52）の前後両側から、前後両閉塞壁（３），（３）外面に沿って脚板（53），（53）を垂下し、これ等両脚板下端部の左右方向中間部と上記容器本体の前後両閉塞壁中心部の直下部分とにそれぞれ設けた凸状および凹状の第１、第３係合部（54），（５）を嵌合させ、かつ上板52下面から垂下させた第２短嵌合筒（55）を第１開口（７）の外周部の第１短嵌合筒（10）内面へ着脱自在に嵌合させた回動蓋部材（51）とからなり、該回動蓋部材（51）引上げにより第２短嵌合筒（55）が第１短嵌合筒（10）から外れたとき、脚板（53），（53）に付設した凸状の第１係合部（54）が容器本体前後両閉塞壁に設けた凹状の第３係合部（５）から外れて、容器本体前後両閉塞壁中心に設けた凹状の第２係合部（４）内に嵌合して、これ等第１、第２係合部嵌合状態では容器本体に対して回動蓋部材（51）が回動可能に形成したことを特徴とする固形化粧料等繰出し容器。
【請求項２】
上記短筒状部（２）および閉塞壁（３），（３）を円形に、かつ上板（52）内面を、円形の短筒状部外面とほぼ同一の曲率半径を有する円弧状に、それぞれ形成したことを特徴とする、請求項１記載の固形化粧料等繰出し容器。
【請求項３】
容器本体（１）に対する回動蓋部材（51）の引上げで、第１係合部（54）が第３係合部（５）内から第２係合部（４）内へ移動した回動蓋部材（51）の位置において、閉塞壁（３），（３）外面と脚板（53），（53）内面とに互いに係合すると共に、該状態からの回動部材（51）の押し下げで、上記係合状態を保ったままで第１係合部（54）を第３係合部（５）内へ移動させることが可能な凹凸の係合手段（56）を縦設したことを特徴とする、請求項１又は２記載の固形化粧料等繰出し容器。
【請求項４】
上記容器本体を、上下に二分割した形状の下部材（1a）と上部材（1b）とで下部材周壁の上端部と上部材周壁の下端部とを嵌合させて形成したことを特徴とする請求項１、２又は３記載の固形化粧料等繰出し容器。
【請求項５】
上記ハンドル操作窓（９）を前後閉塞壁（３），（３）に穿設して、ハンドル（33）の前後両部をそれぞれ上記窓外方へ露出させたことを特徴とする請求項１、２、３又は４記載の固形化粧料等繰出し容器。
【請求項６】
受皿（22）底板の中央部を第３開口として該開口周縁から下端面開口の雄ねじ筒（23）を垂下させると共に第１開口（７）を、着脱自在に型蓋（41）で密閉したことを特徴とする、請求項１、２、３、４又は５記載の固形化粧料等繰出し容器。
【発明の詳細な説明】
【０００１】
【発明の属する技術分野】
本発明は固形化粧料ないし薬剤等の繰出し容器に関する。
【０００２】
【従来の技術】
例えば棒状口紅の繰出し容器が広く用いられている。
【０００３】
【発明が解決しようとする課題】
従来繰出し容器として種々のものが知られているが、新発売の商品に対しては新しいタイプの容器が適することは云うまでもない。
【０００４】
本発明は塗布用固形化粧料等の繰出し容器として、塗布面積が大きくかつ使い勝手がよく、携帯にも便利な容器を提案するものである。
【０００５】
【課題を解決するための手段】
第１の手段として閉塞壁３，３を短筒状部２の前後に有してほぼ中空盤形状をなし、頂部を第１開口７として該第１開口を上端開口面とする横断面非眞円形状でかつ底板14中央部を第２開口13とする収納室18を上半内部に有し、上記前後両閉塞壁３，３の少なくとも一方の中心部下方にハンドル操作窓９を有する容器本体１と、上記収納室18内へ上下動可能にかつ回動不能に嵌合させた受皿22下面から雄ねじ筒23を容器本体下半内へ垂下する受皿部材21と、上記雄ねじ筒外面へ螺嵌合させた雌ねじ筒32の一部を大外径化させた形状の短縦筒状ハンドル33に形成し、該ハンドル外面一部を上記ハンドル操作窓９内へ露出させた雌ねじ筒部材31と、上記第１開口７の上方を覆う上板52の前後両側から、前後両閉塞壁３，３外面に沿って脚板53,53 を垂下し、これ等両脚板下端部の左右方向中間部と上記容器本体の前後両閉塞壁中心部の直下部分とにそれぞれ設けた凸状および凹状の第１、第３係合部54, ５を嵌合させ、かつ上板52下面から垂下させた第２短嵌合筒55を第１開口７の外周部の第１短嵌合筒10内面へ着脱自在に嵌合させた回動蓋部材51とからなり、該回動蓋部材51引上げにより第２短嵌合筒55が第１短嵌合筒10から外れたとき、脚板53,53 に付設した凸状の第１係合部54が容器本体前後両閉塞壁に設けた凹状の第３係合部５から外れて、容器本体前後両閉塞壁中心に設けた凹状の第２係合部４内に嵌合して、これ等第１、第２係合部嵌合状態では容器本体に対して回動蓋部材51が回動可能に形成した。
【０００６】
第２の手段として、上記第１の手段を有すると共に上記短筒状部２および閉塞壁３，３を円形に、かつ上板52内面を、円形の短筒状部外面とほぼ同一の曲率半径を有する円弧状に、それぞれ形成した。
【０００７】
第３の手段として、上記第１又は第２の手段を有すると共に容器本体１に対する回動蓋部材51の引上げで、第１係合部54が第３係合部５内から第２係合部４内へ移動した回動蓋部材51の位置において、閉塞壁３，３外面と脚板53,53 内面とに互いに係合すると共に、該状態からの回動部材51の押し下げで、上記係合状態を保ったままで第１係合部54を第３係合部５内へ移動させることが可能な凹凸の係合手段56を縦設した。
【０００８】
第４の手段として、上記第１、第２又は第３の手段を有すると共に上記容器本体を、上下に二分割した形状の下部材1aと上部材1bとで下部材周壁の上端部と上部材周壁の下端部とを嵌合させて形成した。
【０００９】
第５の手段として、上記第１、２、３、又は４の手段を有すると共に上記ハンドル操作窓９を前後閉塞壁３，３に穿設して、ハンドル33の前後両部をそれぞれ上記窓外方へ露出させた。
【００１０】
第６の手段として、上記第１、２、３、４又は５の手段を有すると共に受皿22底板の中央部を第３開口として該開口周縁から下端面開口の雄ねじ筒23を垂下させると共に第１開口７を、着脱自在に型蓋41で密閉した。
【００１１】
【発明の実施の形態】
以下図面について説明すると、１は前後両面を開口する短筒状部２の前後を閉塞壁３，３で閉塞してほぼ中空盤形状をなす容器本体である。図示例では短筒状部２を短円筒状に、閉塞板を円形に、それぞれ形成して中空の円盤形状としている。図３が示すようにそれ等閉塞壁３，３の中心と、該中心のやや下方とには、後述第１係合部係合用の第２および第３の凹状の係合部４，４、５，５を設けている。これ等両凹状係合部は、これ等両係合部よりも浅く設けた浅溝６で連通させることが望ましい。該容器本体は横断面ほぼ楕円形状に形成している。その頂部は水平方向直径とほぼ平行に切欠いて第１開口７させており、その水平方向直径部分で上下に二分割して下部材1aと上部材1bとし、下部材の短筒状部下半両端内面からは係合板８，８を起立して、これ等係合板を上部材短筒状部の上半両端内面へ係合させて、それ等上下両部材を一体に連結させている。又該下部材の半閉塞壁下部には後述ハンドル用操作窓９，９を穿設している。
【００１２】
上部材1bは上記のように頂部を切欠いた形状であり、その切欠きした周壁上端縁からは第１短嵌合筒10を垂下させると共に該筒下端から内向きフランジ11を介して収納室周壁12を垂下させ、更に該周壁下端面を中央部に第２開口13する底板14で閉塞し、その第２開口周縁からガイド筒15を垂下させている。収納室周壁は横断面楕円形状であり、又その内面には複数のリブ16を縦設して後述受皿の上下動を容易としている。又その収納室周壁は上方延長して該延長壁部17上端を第１開口７としている。該延長壁部上端は、上部材周壁の上端とほぼ同一高さとしている。
【００１３】
上記収納室周壁および底板が形成する収納室18内へは、受皿部材21の受皿22を回動不能に、かつ上下動可能に嵌合させ、該受皿底板の中央部を第３開口して該開口周縁から垂下させた雄ねじ筒23を既述ガイド筒15内へ遊挿させている。受皿22の底板および周壁内面には後述固形化粧料用の抜止め片24,24 を付設することが望ましい。受皿外面は収納室周壁12内面と同形状であり、共に楕円形状とすることで、収納室内での受皿の回動を不能としている。
【００１４】
上記雄ねじ筒23外面へは、雌ねじ筒部材31の雌ねじ筒32を螺合させている。該雌ねじ筒部材は雌ねじ筒下端部を大外径化させた形状の短筒状のハンドル33を有するものであり、該ハンドルは図２が示すように既述操作窓９，９から前後両部を僅かに露出させてその窓内へ嵌合させている。雌ねじ筒32は既述ガイド筒15内へ回動可能に嵌合させている。雌ねじ筒下端には下蓋34を嵌合させている。
【００１５】
既述第１開口７は型蓋41で閉塞させている。該型蓋は必ずしも必要とするものではないが、後述のように固形化粧料44を溶融化粧料固化により形成する場合にその溶融化粧料用型として必要である。該型蓋は、第１開口７上方を覆う弧形頂板42外周から周壁43を垂下させて該周壁下端部を内外二重筒に形成し、これ等内外二重筒を既述延長壁部17の内外面へ着脱自在にかつ水密に嵌合させている。
【００１６】
既述収納室18および受皿22内への固形化粧料44の充填は次のように行うことが出来る。即ち、上記型蓋41を既述延長壁部17に嵌合させて第１開口７を閉塞させた状態から、上部材1bを倒立させ、かつ受皿部材21を引上げて収納室底板と受皿底板とが接する状態から、雄ねじ筒23を介して受皿および収納室18内へ溶融化粧料を流し込み、その固化により固形化粧料44とする。但し別成形した固形化粧料下部を受皿内へ嵌合させて収納室内へ収納させてもよい。
【００１７】
51は回動蓋部材であり、該部材は上記型蓋41を介して第１開口７上方を覆う円弧状上板52の前後両側から、前後両閉塞壁３，３外面に沿って脚板53,53 を垂下し、これ等両脚板下端部の左右方向中間部の内面に凸状の第１係合部54を付設している。又上記上板52からは、既述第１短嵌合筒10内面へ嵌合させる第２短嵌合筒55を垂下させている。上板52内面の曲率半径は、弧形頂板42外面とほぼ同一である。
【００１８】
これ等第１、第２短嵌合筒10,55 を嵌合させた状態において、上記第１係合部54,54 は、容器本体閉塞壁３，３の中心部やや下方の第３係合部５内へ嵌合するよう設けており、該状態から、回動蓋部材51引上げにより図４のように上記第１短嵌合筒10から第２短嵌合筒55が抜出したとき、第１係合部54は浅溝６内を通って第２係合部４内へ移動し、該状態から回動蓋部材51は第１係合部54を中心とする回動で図５が示すように容器本体側方へ移動可能とする。好ましくは図３が示すように第１短嵌合筒10上方に第２短嵌合筒55が位置する状態で容器本体に対して回動蓋部材を位置決めできるように閉塞壁３，３上半部分外面と脚板53,53 内面とに凹凸の係合手段56を設けるとよく、このようにすることで、図５が示す回動蓋部材51の回動位置から、図４が示す正立位置へ回動蓋部材を戻して回動不能とすることが容易である。尚脚板53,53 外面には複数の滑止め突条57を横設している。
【００１９】
既述各部材はそれぞれ合成樹脂材で形成している。
【００２０】
【発明の効果】
本発明は既述構成とするものであり、第１の手段のように形成することで、携帯に便利な形状とすることが出来ると共に、回動蓋部材51は容器本体１に対して上下動して、下降時には回動不能で引上げ時にだけ回動して第１開口を開閉できるから、その閉塞を確実とすることが出来、ハンドル33は雌ねじ筒一部を大外径化させた形成としているからトルクを大とすることが出来る。
【００２１】
第２の手段のようにすることで、繰出し容器の外形を従来にない新鮮なものとすることが出来る。
【００２２】
第３の手段のようにすることで容器本体に対して回動蓋部材51が上下動できる位置を定めることが出来、回動後に回動蓋部材を下降位置へ戻すことが容易である。
【００２３】
第４の手段のようにすることで、雌ねじ筒部材等の装着が容易である。
【００２４】
第５の手段のようにすることでハンドル操作が容易となる。
【００２５】
第６の手段のようにすることで、雄ねじ筒23を介して受皿および収納室内へ溶融化粧料を流入させ、その固化で固形化粧料44を形成できる。
【図面の簡単な説明】
【図１】  本発明容器を前方からみた半断面図である。
【図２】  図１容器を側面からみた半断面図である。
【図３】  図２容器の要部拡大図である。
【図４】  図１容器の回動蓋部材を引上げた状態で示す半断面図である。
【図５】  図４状態から回動蓋部材を側方へ回動させた状態で示す半断面図である。
【符号の説明】
１…容器本体                ３…閉塞壁
４…第２係合部              ５…第３係合部
７…第１開口                ９…ハンドル操作窓
18…収納室                  21…受皿部材
22…受皿                    23…雄ねじ筒
31…雌ねじ筒部材            51…回動蓋部材
53…脚板                    54…第１係合部
56…係合手段
【図１】
0004737486.tif 000002
【図２】
0004737486.tif 000003
【図４】
0004737486.tif 000004
【図５】
0004737486.tif 000005
【図３】
0004737486.tif 000006